(57)【要約】【課題】より安全で、提供者側が設定した所定期間にのみ利用可能な記録媒体の提供。【解決手段】記録メディア１は、光学的にデータの読み出し可能な記録領域１３の内周の非記録領域１２の一部にＩＣ部１４を備える。このＩＣ部１４は、電気的に接続可能なように露出形成されるＩＣインタフェース２１と、電力を受けることなく経時変化する経時変化部２７とを備える。この記録メディア１の読み／書き装置２は、経時変化部２７の状態を測定することにより、このメディア１が利用できる期間にあるか否かを判定する。【選択図】  図１
2004296031.tif 000002
【特許請求の範囲】
【請求項１】
少なくとも、回転しながら光学的にデータの読み出しが行なわれる記録領域と、
前記記録領域とは異なる領域であって、光学的に読み出しするデータが記録されない非記録領域とを有し、
非記録領域には、電気回路部と、外部の機器と電気的に接続可能なように露出形成され、前記電気回路部と接続されるコンタクト部とを備えたことを特徴とする記録媒体。
【請求項２】
前記電気回路部は、電力を受けることなく経時変化し、該経時変化した状態を、前記コンタクト部を介し電気的に外部より測定することが可能な経時変化手段を具備することを特徴とする請求項１記載の記録媒体。
【請求項３】
前記電気回路部は、前記コンタクト部を介し外部より読み取り可能な固有の識別情報を記録する記録部を具備することを特徴とする請求項２記載の記録媒体。
【請求項４】
前記コンタクト部の位置を前記外部の機器に示すために、前記コンタクト部と予め定められた配置関係のある位置に物理的変形がなされていることを特徴とする請求項１乃至３記載の記録媒体
【請求項５】
回転しながら光学的に読み出し可能なデータが記録される記録領域と、前記記録領域とは異なる領域であって、光学的に読み出し可能なデータが記録されない非記録領域とを有し、非記録領域には、電気的に接続可能なように露出形成されるコンタクト部と、電力を受けることなく経時変化し、該経時変化した状態を測定するために前記コンタクト部に接続される経時変化部とを具備する記録媒体の前記記録領域からデータを読み出す、読出し装置であって、
前記記録媒体の記録領域からデータを光学的に読み出す読出し手段と、
前記記録媒体のコンタクト部を介し、前記経時変化部の状態を測定する測定手段と、
前記測定手段で測定された前記経時変化部の状態に基づいて予め定められた期間が経過したか否かを判断する判断手段とを備え、
前記判断手段の判断結果に従って、選択的に、前記読出し手段によって前記記録媒体の記録領域のデータを読み出すようにすることを特徴とする読出し装置。
【請求項６】
回転しながら光学的に読み出し可能なデータが記録される記録領域と、前記記録領域とは異なる領域であって、光学的に読み出し可能なデータが記録されない非記録領域とを有し、非記録領域には、電気的に接続可能なように露出形成されるコンタクト部と、電力を受けることなく経時変化し、該経時変化した状態を測定するために前記コンタクト部に接続される経時変化部と、固有の識別情報を記録し、該識別情報の読み出しのために前記コンタクト部に接続される記録部とを具備する記録媒体の前記記録領域からデータを読み出す読出し装置であって、
前記記録媒体の記録領域からデータを光学的に読み出す第１読出し手段と、
前記記録媒体のコンタクト部を介し、前記経時変化部の状態を測定する測定手段と、
前記記録媒体のコンタクト部を介し、前記固有の識別情報を読み出す第２読出し手段と、
前記測定手段で測定された前記経時変化部の状態に基づいて予め定められた期間が経過したか否かを判断する判断手段とを備え、
前記判断手段の判断結果に従って、選択的に、前記第１読出し手段によって読み出した前記記録領域のデータを前記第２読出し手段によって読み出した前記識別情報で復号することを特徴とする読出し装置。
【請求項７】
回転しながら光学的にデータを書き込むことが可能な記録領域と、前記記録領域とは異なる領域であって、光学的にデータを書き込むことが不可能な非記録領域とを有し、非記録領域には、電気的に接続可能なように露出形成されるコンタクト部と、電力を受けることなく経時変化し、該経時変化した状態を測定するために前記コンタクト部に接続される経時変化部とを具備する記録媒体の前記記録領域へデータを書き込む書込み装置であって、
前記記録媒体の記録領域へ書き込みデータを光学的に書き込む書込み手段と、
前記記録媒体のコンタクト部を介し、前記経時変化部の状態を測定する測定手段と、
前記測定手段で測定された前記経時変化部の状態に基づいて予め定められた期間が経過したか否かを判断する判断手段とを備え、
前記判断手段の判断結果に従って、選択的に、前記書込み手段によって前記記録媒体の記録領域へ書き込みデータを書き込むようにすることを特徴とする書込み装置。
【請求項８】
回転しながら光学的にデータを書き込むことが可能な記録領域と、前記記録領域とは異なる領域であって、光学的にデータを書き込むことが不可能な非記録領域とを有し、前記非記録領域には、電気的に接続可能なように露出形成されるコンタクト部と、電力を受けることなく経時変化し、該経時変化した状態を測定するために前記コンタクト部に接続される経時変化部と、固有の識別情報を記録し、該識別情報の読み出しのために前記コンタクト部に接続される記録部とを具備する記録媒体の前記記録領域へデータを書き込む書込み装置であって、
前記記録媒体の記録領域へ書き込みデータを光学的に書き込む書込み手段と、
前記記録媒体のコンタクト部を介し、前記経時変化部の状態を測定する測定手段と、
前記記録媒体のコンタクト部を介し、前記固有の識別情報を読み出す読出し手段と、
前記測定手段で測定された前記経時変化部の状態に基づいて予め定められた期間が経過したか否かを判断する判断手段とを備え、
前記判断手段の判断結果に従って、選択的に、データを前記読出し手段によって読み出した前記識別情報で暗号化し、暗号化されたデータを前記書込み手段で前記記録領域へ書き込むことを特徴とする書込み装置。
【発明の詳細な説明】
【０００１】
【発明の属する技術分野】
本発明は、所定の期間の間のみ、読み出し、あるいは書き込み（読み書きを含む）可能な記録媒体、この記録媒体のデータを読み出す読出し装置、及び個の記録媒体へデータを書き込む書込み装置に関する。
【０００２】
【従来の技術】
従来の記録媒体の中には、不必要な書き込みやデータの誤削除などを禁止するために書き込み保護（ライトプロテクト）機能を備えるものが古くから存在する。例えば、３．５インチ・フロッピー（Ｒ）ディスクでは、ディスクの端にあるノッチを切り替えることで、書き込み保護機能を実現している。また、カセットテープでは、テープのつめを折ることで書き込み保護機能を実現している。このような物理的に変更することによる保護機能は、書込みを対象としたものであり、また、利用者自身が自由に設定できるものであり、誤書き込み、データの誤削除から保護するというものであった。
【０００３】
一方、例えば、ＣＤやＤＶＤのように、保護データを記録領域に記録するものがある（例えば特許文献１参照）。これは、どちらかといえば、利用者側の設定ではなく、メディアにデータを書き込む書込み側で設定できるものであり、データの著作権を保護するというものであった。
【０００４】
【特許文献１】特願２０００−４０２９８公報
【０００５】
【発明が解決しようとする課題】
しかしながら、ＣＤやＤＶＤのような保護方法は、通常のデータと同じく、光学的に読み取って扱われるものであるため、悪意のユーザによって比較的簡単に読み出した保護データを改変されてしまうという問題があった。ましてや、所定期間のみ利用可能な設定もできない。なお、コンテンツを所定期間のみ利用可能にする既知の技術もあるが、それらは、所定期間を示すデータをコンテンツと同じ、光学的に扱われる領域に記録しておき、読出し装置側のシステム時計と比較することによるものであり、やはり、悪意のユーザによってシステム時計を変更すれば簡単に利用されてしまうといった問題もあった。
【０００６】
そこで本発明は、上記問題点に鑑みなされたものであり、より安全で、提供者側が設定した所定期間にのみ利用可能な記録媒体を提供することを目的とする。また、この記録媒体のデータを読み出す読出し装置、及びこの記録媒体へデータを書き込む書込み装置を提供することを目的とする。
【０００７】
【課題を解決するための手段】
本発明の記録媒体は、少なくとも、回転しながら光学的にデータの読み出しが行なわれる記録領域と、前記記録領域とは異なる領域であって、光学的に読み出しするデータが記録されない非記録領域とを有し、非記録領域には、電気回路部と、外部の機器と電気的に接続可能なように露出形成され、前記電気回路部と接続されるコンタクト部とを備えるようにした。
【０００８】
より好ましくは、前記電気回路部は、電力を受けることなく経時変化し、該経時変化した状態を、前記コンタクト部を介し電気的に外部より測定することが可能な経時変化手段を具備することが望ましい。
【０００９】
更に、前記電気回路部は、前記コンタクト部を介し外部より読み取り可能な固有の識別情報を記録する記録部を具備するようにするとなお良い。
【００１０】
このような構成にした本発明の記録媒体は、安全性を保ちつつ、記録媒体提供者側の意図で利用者の利用期間を設定できるようになった。
【００１１】
また、本発明は、回転しながら光学的に読み出し可能なデータが記録される記録領域と、前記記録領域とは異なる領域であって、光学的に読み出し可能なデータが記録されない非記録領域とを有し、非記録領域には、電気的に接続可能なように露出形成されるコンタクト部と、電力を受けることなく経時変化し、該経時変化した状態を測定するために前記コンタクト部に接続される経時変化部とを具備する記録媒体の前記記録領域からデータを読み出す、読出し装置であって、前記記録媒体の記録領域からデータを光学的に読み出す読出し手段と、前記記録媒体のコンタクト部を介し、前記経時変化部の状態を測定する測定手段と、前記測定手段で測定された前記経時変化部の状態に基づいて予め定められた期間が経過したか否かを判断する判断手段とを備え、前記判断手段の判断結果に従って、選択的に、前記読出し手段によって前記記録媒体の記録領域のデータを読み出すように読出し装置を提供する。
【００１２】
また、本発明は、回転しながら光学的にデータを書き込むことが可能な記録領域と、前記記録領域とは異なる領域であって、光学的にデータを書き込むことが不可能な非記録領域とを有し、非記録領域には、電気的に接続可能なように露出形成されるコンタクト部と、電力を受けることなく経時変化し、該経時変化した状態を測定するために前記コンタクト部に接続される経時変化部とを具備する記録媒体の前記記録領域へデータを書き込む書込み装置であって、前記記録媒体の記録領域へ書き込みデータを光学的に書き込む書込み手段と、前記記録媒体のコンタクト部を介し、前記経時変化部の状態を測定する測定手段と、前記測定手段で測定された前記経時変化部の状態に基づいて予め定められた期間が経過したか否かを判断する判断手段とを備え、前記判断手段の判断結果に従って、選択的に、前記書込み手段によって前記記録媒体の記録領域へ書き込みデータを書き込むようにした書込み装置を提供する。
【００１３】
【発明の実施の形態】
以下、本発明の実施の形態について、図面を参照しつつ詳細に説明する。
【００１４】
図１は、本実施の形態の記録メディア１を示すものである。この記録メディア１は、既存のメディアであるＣＤやＤＶＤを一部改良したものである。なお、本実施の形態の記録メディアにおいて読み出し専用、書き込み読み出し用の区別によって、特段な違いが無い点について説明する場合には、以下、読み出しのみも読み出し書き込みも含めて「読み／書き」として、説明する。つまり、「読み／書き」と記載されるからといって、読み込み専用は対象外である、あるいは書き込み・読み出し用は対象外であるという意味ではない。
【００１５】
記録メディア１は、一般に円状に形成しており、中心部にはこの記録メディア１の読み／書き装置２（後述）に装着するための所定のサイズの取り付け穴１１を、その取り付け穴１１の外周に位置し光学的に読み／書きできない非記録領域１２を、この非記録領域１２の外周に位置し光学的に読み／書きできる記録領域１３を、有している。なお、最近では必ずしも円状で形成されていない、例えば長方形も存在するが、これはデザイン性を考慮し、記録領域１３の領域を狭くし（例えばシングルサイズ）、更にその外周に光学的に読み／書きできない非記録領域１２を設けたものであるに過ぎず、本実施の形態は、このようなものも排除するものでは無い。
【００１６】
記録領域１３は、データが光学的に読み／書きできる領域であって、その内周より外周方向へスパイラル上に読み／書きすることが可能になっている。記録領域１３は、ユーザが利用できる領域であり、ここに映像や音楽、ファイルなどのコンテンツや、属性情報、制御情報等を読み／書きできる。また、記録メディア１のフォーマットの種類によっては、この記録領域１３の最内周に、ユーザが直接利用することはできないが記録メディア１の読み／書き装置２では利用可能な、著作権情報や、メディアに固有な識別番号を記録するものもある。このような情報の読み出しも、光学的に行なわれる。なお、本実施の形態の記録メディア１は、このような情報を含むものでも、含まないものでも何れでも良い。
【００１７】
非記録領域１２は、光学的に読み取りできない領域である。更に、本実施の形態の非記録領域１２の一部の領域にＩＣ部１４を備えている。図２は、ＩＣ部１４の形状の一例を示し、図３はＩＣ部１４の機能ブロックを示している。
【００１８】
ＩＣ部１４は、ＩＣ本体２２と、ＩＣ本体２２を封止する封止材２３と、ＩＣ本体２２と電気的に接続され、外部に露出するＩＣインタフェース２１とを備える。ＩＣ部１４は、既存のＩＣカードに付加されているＩＣチップ等からもわかるように、非常に薄く形成可能である。後で説明するが、このＩＣ部１４はプロセッサのような複雑な制御回路を含まないのでより小さくできる。
【００１９】
ＩＣ本体２２を含む封止材２３は、図２のように記録メディア１に凹部を形成し埋め込むようにし、ＩＣインタフェース２１のみ外部に露出する形状が望ましいが、これに限るものではなく、例えば記録メディア１の外表面に形成してもよい。
【００２０】
ＩＣ本体２２は、不揮発性メモリ部２６と経時変化部２７とを備え、これらはそれぞれＩＣインタフェース２１と電気的に接続されている。不揮発性メモリ部２６は、例えば、この記録メディア１に固有の識別子を含むものであり、読み／書き装置２から読み出すことが可能である。
【００２１】
一方、経時変化部２７は、常時電力供給を受けることなく状態変化するものであって、所定期間経過したか否かを示すことが可能なものである。経時変化部２７は、時間とともに状態が変化するものであり、この変化された状態をＩＣインタフェース２１を介し、読み／書き装置２より測定し、時間の検知に利用される。
【００２２】
経時変化部２７の第一の具体例を図４に示し説明する。
【００２３】
この第一の具体例の経時変化部２７１は、ソース領域５１と、ドレイン領域５２と、ソース領域５１およびドレイン領域５２との間にチャネル領域５３とからなる第１層と、第１層の上部に積層されるトンネル絶縁膜５４からなる第２層と、第２層の上部に積層されるフローティングゲート５５からなる第３層と、第３層の上部に積層される絶縁膜５６で形成される第４層と、第４層の上部に積層される制御ゲート５７からなる第５層とを備えて形成される。また、ソース領域５１、及び、ドレイン領域５２には、それぞれソース電極５８とドレイン電極５９とが設けられている。
【００２４】
図５は、図４の経時変化部２７１が時間経過に伴った状態変化を示した図である。なお、図上、グレーの丸は電子を示しており、白の丸は正孔を示している。
【００２５】
（ａ）は、初期状態を示す図である。経時変化部２７１は、前処理として、制御ゲート５７からチャネル領域５３の基板介面とフローティングゲート５５の間に高電界を印加し、ＦＮトンネリングによって電子をチャネルからフローティングゲート５５に注入しておく。このとき、チャネル領域５３の基板介面は、反転して正孔が集中し、ソース領域５１とドレイン領域５２との間のチャネル領域５３の基板界面にチャネルが開く。
【００２６】
この（ａ）の状態から、時間経過と共に、フローティングゲート５５の電子が基板界面に直接トンネルし、徐々にチャネル領域５３の基板界面の電界が減少する。（ｂ）は、（ａ）の状態からある時間だけ経過した後の時刻Ｔ１の状態を示しており、（ｃ）は、（ｂ）の状態から更にある時間だけ経過した後の時刻Ｔ２の状態を示しており、（ｄ）は、（ｃ）の状態から更にある時間だけ経過した後の時刻Ｔ３の状態を示している。なお、点線は、電子がその時刻までに直接トンネルにより移動したことを模式的に示している。時刻Ｔ３の（ｄ）の状態では、フローティングゲート５５に注入されていた電子がほとんど抜け、チャネル領域５３の基板界面にチャネルが形成されなくなり、その結果、出力信号が流れなくなる。
【００２７】
図６は、このような経時変化部２７１のソース電極５８とドレイン電極５９との間に定電圧を印加したときの、電流値と時間との関係を示した図である。時刻Ｔａ（＝０）からＴｂの間に直接トンネリングが生じ、最後にはチャネルが消失してノイズレベルまで電流値が低下する。経時変化部２７１は、時刻Ｔａ（＝０）からＴｂ（＝ノイズレベル到達時間）の間の、この経時変化を利用し変化した電流値を供給するから、この電流値を受信する側は、例えば、所定期間経過したか否か判断したり、この経時変化部２７１の状態と電流値の関係が逐時明確になっている場合には、初期状態からの相対的な時刻を知ることができる。なお、図６上のＴ１、Ｔ２、Ｔ３は、図６の（ｂ）、（ｃ）、（ｄ）の状態を示している。
【００２８】
図７は、図３の経時変化部２７の基本概念を実現する第二の具体例である。この第二の具体例の経時変化部２７２は、ソース領域６１と、ドレイン領域６２と、ソース領域６１およびドレイン領域６２との間にチャネル領域６３とからなる第１層と、第１層の上部に積層されるトンネル絶縁膜６４からなる第２層と、第２層の上部に積層されるゲート６５からなる第３層と、第３層の上部にリーク電流を制御するためのＰＮ接合６６とを備えて形成される。また、ソース領域６１、及び、ドレイン領域６２には、それぞれソース電極６８とドレイン電極６９とが設けられている。
【００２９】
経時変化部２７２の時間経過に伴った状態変化についての説明は、第一の具体例の経時変化部２７１の説明での直接トンネリングを、ＰＮ接合のリーク電流に置き換えれば第一の具体例と同様なので省略する。
【００３０】
図８は、図３の経時変化部２７の基本概念を実現する第三の具体例である。この第三の具体例の経時変化部２７３は、ソース領域７１と、ドレイン領域７２と、ソース領域７１およびドレイン領域７２との間にチャネル領域７３とからなる第１層と、第１層の上部に積層されるトンネル絶縁膜７４からなる第２層と、第２層の上部に積層されるゲート７５からなる第３層と、第３層の上部にリーク電流を制御するためのショットキー接合７６とを備えて形成される。また、ソース領域７１、及び、ドレイン領域７２には、それぞれソース電極７８とドレイン電極７９とが設けられている。
【００３１】
経時変化部２７３の時間経過に伴った状態変化についての説明は、第一の具体例の経時変化部２７１の説明での直接トンネリングを、ＰＮ接合のリーク電流に置き換えれば第一の具体例と同様なので省略する。
【００３２】
記録メディア１は、以上のような経時変化部２７を備えている。
【００３３】
次に、記録メディア１を利用する読み／書き装置２について、説明する。
【００３４】
図９は、記録メディア１を読み／書き装置２へ装着したときの要部を側面から見た図であり、図１０は記録メディア１の読み／書きを行なう際の読み／書き装置２の動作に係る部分の機能ブロックを示した図である。
【００３５】
回転部３１は、記録メディア１が装着される部分であり、記録メディア１の記録領域に対し読み／書きを行なう時に、回転制御部３２の制御の下、回転することによって装着された記録メディア１を回転させるものである。
【００３６】
光ピックアップ部３３は、光学的に記録メディア１の記録領域１３の読み／書きを行なうものであり、移動制御部３４の制御の下、スライド部４１に沿って、記録メディア１の内周−外周間を直線移動し、所望の記録領域へ位置して、データ制御部３５の制御の下、データの読み／書きを行なうものである。なお、当然ながら、少なくとも記録メディア１の読み／書きを行なう時には光ピックアップ部３３は、記録メディア１と接触しない、光学的に読み／書き良好な距離になるように配置されている。
【００３７】
ＩＣ接続部３６は、記録メディア１が装着された時に、接続制御部３７の下、伸張してＩＣインタフェース２１と接触し、それ以外のときはＩＣインタフェース２１のみならず記録メディア１とも接触しないように制御される。ＩＣ接続部３６は、記録メディア１のＩＣインタフェース部２１との接続時に、メモリ読み出し部３８によって、ＩＣ本体２２の不揮発性メモリ部２６の内容の読み出しを行なうことができる。不揮発性メモリ２６のリード（／ライト）は、既存の技術で読み出せばよいのでここでは、特に説明しない。
【００３８】
また、ＩＣ接続部３６は、記録メディア１のＩＣインタフェース部２１との接続時に、経時変化測定部３９によって、ＩＣ本体２２の経時変化部２７の状態を検出することができる。
【００３９】
凸検出部４０は、記録メディア１上に設けられた凸部を検出するものである。
【００４０】
ここで、経時変化測定部３９の一構成例を以下に説明する。
【００４１】
図１１の例は、経時変化部２７の両端（ソース、ドレイン）に、電圧を印加することが可能なようになっており、電源端８１側には、スイッチ素子８３を介して経時変化部２７のソース電極５８／６８／７８が接続され、ＧＮＤ端８２側とは電流計８４を介し、ドレイン電極５９／６９／７９が接続される。スイッチ素子８３は、イネーブル信号線と接続され、測定時にイネーブルし、スイッチがＯＮされ導通する。また、電流計８４は、比較器８５へ電流値を出力するよう接続される。比較器８５は、入力された電流値が予め定められた閾値を以上か否かを比較するものである。
【００４２】
このような構成において、経時変化部２７の状態を確認する際には、スイッチ素子８３をＯＮにし、電源端８１−ＧＮＤ端８２間に所定電圧を掛けて、経時変化部２７を介して流れる電流を電流計８４で測定し、測定された電流値が比較部８５で閾値と比較した結果によって、経時変化測定部３９は、経時変化部２７の状態が分かるようになる。
【００４３】
以上の経時変化測定部３９は、記録メディア１に一つの経時変化部２７を備えたものについての例を示したが、記録メディア１に複数の経時変化部２７を備えるものも想定される。この複数の経時変化部２７の経時変化は、用途に応じて同じでものある場合、異なっているものである場合の何れの場合もある。ここでは同じものである場合の経時変化測定部３９の構成例を図１２に示し説明する。
【００４４】
この例は、経時変化部２７を複数並列化し、それぞれ出力される電流値を平均化回路８６へ入力し、平均化した電流値をあらかじめ定められた域と比較して、比較結果を得るようにしたものである。なお、イネーブル信号線もそれぞれのスイッチ素子８３へ接続されて、共通に制御できる。この例では、経時変化部２７の経時変化に多少のばらつきがあっても、平均化することにより、より安定した時間測定結果が提供できる。
【００４５】
また、ここでは特に経時変化測定部３９の構成例を図示しないが、複数の経時変化部２７の経時変化が異なったものとすると、いろいろな時間情報が取得できるなどの利点がある。例えば、図１３のように各経時変化部２７が示すことが可能な時間ｔ１、ｔ２、ｔ３の組み合わせにより区間１、区間２、区間３、区間４の４つの区間に分けることができる。この各区間を、記録媒体の読み出し可能、書き込み可能、読み書き可能、読み書き不可能のいずれかの状態に割り振ることで、様々な制御が可能となる。様々な制御とは、例えば、「一定時間の読み出しを許した後、一定時間の書き込みを許す」や「一定時間の読み出しを許し、その後一定時間読み出しを禁じ、再度一定時間の読み出しを許す」などである。
【００４６】
以上説明した経時変化確認部３９の構成や動作は、例えば、これと等価な制御を持ったソフトウェアで行ってもよいことはもちろんである。
【００４７】
次に、読み／書き装置２が、記録メディア１へ読み／書きする時の動作の一例を、接続までの機械的な動作（図１４）と、接続後の読み／書き動作（図１５）とに分けて説明する。この例は、記録メディア１の非記録領域１２上に、ＩＣ部１４の一辺に物理的な凸部を設け、この凸部を基準としてＩＣインタフェース２１と電気的に接続するものである。
【００４８】
まず、記録メディア１の、読み／書きの実行指示を受ける（Ｓ１１）と、接続制御部３７は、ＩＣ接続部３６を予め定めた距離だけメディアに近づける（第１段階）よう制御する（Ｓ１２）。
【００４９】
次に、回転制御部３２は、回転部３１へ低速に最大１回転するよう指示する（Ｓ１３）。ＩＣ接続部３６に付加されている凸検出部４０によって、記録メディア１のＩＣ部１４の凸部を検出したら、回転制御部３２へ通知する（Ｓ１４）。
【００５０】
次に、回転制御部３２は、回転部３１を止め、接続制御部３７へ通知する（Ｓ１５）。接続制御部３７は、ＩＣ接続部３６を更に伸ばし（第２段階）、この結果、ＩＣ接続部３６はＩＣインタフェース部２１と接触し、電気的に接続される（Ｓ１６）。ここまでが機械的な動作である。
【００５１】
次に、接続後の読み／書き動作について図１５を用いて説明する。
経時変化測定部３９は、記録メディア１の経時変化部２７の経時変化を測定し（Ｓ２１）、所定期間経過の有無を確認する（Ｓ２２）。この測定の結果が所定期間経過したことを示していれば、この記録メディア１は利用できないので、接続制御部３７へその旨通知し（Ｓ２３）、接続制御部３７は、ＩＣ接続部３６を初期位置に戻し、終了する（Ｓ２４）。
【００５２】
もし、この測定結果が所定期間経過していないことを示していれば、次に、メモリ読み出し部３８へその旨通知する（Ｓ２５）。メモリ読み出し部３８は、ＩＣ部の不揮発性メモリ部に記録される、媒体に固有の識別子を読み出す（Ｓ２６）。読み出しが終了すると、接続制御部３７へその旨通知し、接続制御部３７は、ＩＣ接続部３６を初期位置に戻す（Ｓ２７）。
【００５３】
初期位置へ戻した後、データ読出しの場合には不揮発性メモリ部２６から読み出した識別子を鍵として、記録領域１３に記録されるデータを読み出して、復号処理を行う、または、データ書き込みの場合には、識別子を鍵として書き込むデータを暗号化して、記録領域１３へ書き込む（Ｓ２８）。
【００５４】
上記例は、記録メディア１に新たに凸部を設けたが、既存のＤＶＤなどにある、記録メディア１の記録トラックのアドレス信号を構成するエンボスピットを利用して、ＩＣインタフェース２１への接続制御をしても良い。この場合、ＩＣ接続部３６は、１段階目を持つ必要なく、より簡単な機構ですむ。なお、既存のＤＶＤのエンボスピットについては、例えば特開平２００２−２７９６４９に詳しく記載されている。
【００５５】
エンボスビットとＩＣインタフェース２１との位置関係をあらかじめ定めておけば、回転部３１をエンボスビットから定めた角度だけ回転することにより、ＩＣ接続部３６とＩＣインタフェース２１とを対向させるようにすれば、ＩＣインタフェース２１と接続できる。
【００５６】
また、記録メディア１の取り付け穴にＩＣインタフェース２１を設け、回転部３１にＩＣ接続部３６を設けることで、記録メディア１が読み／書き装置２に装着された時点でＩＣインタフェース２１とＩＣ接続部３６が接続されるため、図１４に示すような一連の動作は不要になるような構成も可能である。
【００５７】
更に、図１５では識別子を読み出すか否かは読み／書き装置２がＳ２２で判定していたが、記録メディア１のＩＣ部１４で識別子の読み出し可能・不可能を制御する構成も考えられる。つまり、ＩＣ部１４では、読み／書き装置２から識別子読み出しのアクセスがあった際に、所定期間経過しなければ識別子を読み出すことができ、所定期間経過していれば識別子を読み出すことができない構成にする。読み／書き装置２では、識別子の読み出し可能・不可能により所定期間経過したか否かを判断できる。それ以後の動作は図１５のＳ２２以降と同様である。
【００５８】
以上説明したように本実施の形態の記録メディア１は、非記録領域１２にＩＣ部１４を設けたから、記録領域１３のデータの読み／書きと異なる扱い方で記録メディア１の利用制御ができるようになった。そして、このＩＣ部１４には、経時変化部２７を設けることにより、記録メディア１の提供者側の意図に沿った利用期間制御が行なえるようになった。更にＩＣ部１４には、固有の識別子も記録しており、利用期間制御に基づき、この固有の識別子を鍵としてデータを暗号化してデータを記録領域１３に記録するから、本実施の形態の読み／書き装置とは異なる既知の読み／書き装置を用いても記録領域１３のデータを利用できないという利点も有する。
【００５９】
また、本実施の形態の読み／書き装置は、記録メディア１を利用するために、記録メディア１の経時変化部２７を測定できるようにしたから、この記録メディア１の利用可能期間において、記録メディア１を正当に利用できるようになった。
【００６０】
【発明の効果】
以上説明したように、本発明によれば、より安全に、提供者側が設定した所定期間にのみ利用可能な記録媒体が提供できるようになった。また、この記録媒体のデータを読み出す読出し装置、及びこの記録媒体へデータを書き込む書込み装置を提供できるようになった。
【図面の簡単な説明】
【図１】本実施の形態に係る記録メディア１を示す図。
【図２】ＩＣ部１４の形状を示す一例を示す図。
【図３】ＩＣ部１４の機能ブロックを示す図。
【図４】経時変化部２７を実現する第一の具体例。
【図５】経時変化部２７１が時間経過に伴った状態変化を示した図。
【図６】経時変化部２７１の定電圧印加時の時間と電流値との関係を示した図。
【図７】経時変化部２７を実現する第二の具体例。
【図８】経時変化部２７を実現する第三の具体例。
【図９】記録メディア１を装着した時の読み／書き装置２の要部の側面図。
【図１０】記録メディア１の読み／書きを行なう際に係る部分の機能ブロックを示す図。
【図１１】経時変化測定部３９の一回路構成例。
【図１２】複数の経時変化部２７を扱う場合の経時変化測定部３９の一回路構成例。
【図１３】３つの経時変化部２７によって、利用可能な期間区分を示す図。
【図１４】読み／書き装置２の記録メディア１へ読み／書きする時の、接続までの機械的な動作を示すフローチャート。
【図１５】読み／書き装置２の記録メディア１へ読み／書きする時の、接続後の読み／書き動作を示すフローチャート。
【符号の説明】
１・・・記録メディア
２・・・読み／書き装置
１１・・・取り付け穴
１２・・・非記録領域
１３・・・記録領域
１４・・・ＩＣ部
２１・・・ＩＣインタフェース
２２・・・ＩＣ本体
２３・・・封止材
２６・・・不揮発性メモリ部
２７・・・経時変化部
３１・・・回転部
３２・・・回転制御部
３３・・・光ピックアップ部
３４・・・移動制御部
３５・・・データ制御部
３６・・・ＩＣ接続部
３７・・・接続制御部
３８・・・メモリ読み出し部
３９・・・経時変化測定部
４０・・・凸検出部
４１・・・スライド部
５１、６１、７１・・・ソース領域
５２、６２、７２・・・ドレイン領域
５３、６３、７３・・・チャネル領域
５４、６４、７４・・・トンネル絶縁膜
５５・・・フローティングゲート
５６・・・絶縁膜      ５７・・・制御ゲート
５８、６８、７８・・・ソース電極
５９、６９、７９・・・ドレイン電極
６５、７５・・・ゲート      ６６・・・ＰＮ接合
７６・・・ショットキー接合
８１・・・電源端
８２・・・ＧＮＤ端
８３・・・スイッチ素子
８４・・・電流計
８５・・・比較部
８６・・・平均化回路
【図１】
2004296031.tif 000003
【図２】
2004296031.tif 000004
【図３】
2004296031.tif 000005
【図４】
2004296031.tif 000006
【図５】
2004296031.tif 000007
【図６】
2004296031.tif 000008
【図７】
2004296031.tif 000009
【図８】
2004296031.tif 000010
【図９】
2004296031.tif 000011
【図１０】
2004296031.tif 000012
【図１１】
2004296031.tif 000013
【図１２】
2004296031.tif 000014
【図１３】
2004296031.tif 000015
【図１４】
2004296031.tif 000016
【図１５】
2004296031.tif 000017